(57)【特許請求の範囲】
【請求項１】
吸込口及び吹出口を開口する本体筐体と、
前記吸込口と前記吹出口とを連通させる送風ダクトと、
前記送風ダクトに気流を流通させる送風ファンと、
前記送風ダクトを流通する気流にイオンを放出するイオン発生部を有するイオン発生装置と、
前記送風ダクトの一面を構成する側板に設けた開口からなる窓部と、
前記イオン発生装置が着脱可能であるとともに前記イオン発生部が前記窓部を介して前記送風ダクトの内部に臨む姿勢と、前記イオン発生部が前記窓部から離隔する姿勢とをなすように回動可能なホルダーと、
前記ホルダーが取り付けられて前記ホルダーの回動を可能にするホルダー連結部と、
を備え、
前記送風ファンがシロッコファンで構成され、
前記側板が前記シロッコファンの回転軸線と交差する方向に延び、
前記ホルダー連結部が前記シロッコファンに対して空気流通方向下流の前記側板の前記送風ダクトの空気流路に対応する領域の外側であって前記シロッコファンの回転軸線寄りに配置されることを特徴とするイオン送出装置。
【請求項２】
吸込口及び吹出口を開口する本体筐体と、
前記吸込口と前記吹出口とを連通させる送風ダクトと、
前記送風ダクトに気流を流通させる送風ファンと、
前記送風ダクトを流通する気流にイオンを放出するイオン発生部を有するイオン発生装置と、
前記送風ダクトの一面を構成する側板に設けた開口からなる窓部と、
前記イオン発生装置が着脱可能であるとともに前記イオン発生部が前記窓部を介して前記送風ダクトの内部に臨む姿勢と、前記イオン発生部が前記窓部から離隔する姿勢とをなすように回動可能なホルダーと、
を備え、
前記ホルダーは前記イオン発生装置の着脱時に前記イオン発生装置をスライド移動させるガイド部を備え、
前記ガイド部は前記ホルダーの回動の中心軸線と交差する方向に前記イオン発生装置をスライド移動させることを特徴とするイオン送出装置。
【請求項３】
吸込口及び吹出口を開口する本体筐体と、
前記吸込口と前記吹出口とを連通させる送風ダクトと、
前記送風ダクトに気流を流通させる送風ファンと、
前記送風ダクトを流通する気流にイオンを放出するイオン発生部を有するイオン発生装置と、
前記送風ダクトの一面を構成する側板に設けた開口からなる窓部と、
前記イオン発生装置が着脱可能であるとともに前記イオン発生部が前記窓部を介して前記送風ダクトの内部に臨む姿勢と、前記イオン発生部が前記窓部から離隔する姿勢とをなすように回動可能なホルダーと、
を備え、
前記ホルダーは前記イオン発生装置の前記ホルダーへの装着とともに前記イオン発生装置と電気的に接続するコネクタ部を備えることを特徴とするイオン送出装置。
【請求項４】
前記イオン発生装置は複数の前記イオン発生部を備えるとともに、複数の前記イオン発生部が前記送風ダクトの空気流通方向と交差する方向に並ぶことを特徴とする請求項１〜請求項３のいずれか１項に記載のイオン送出装置。
【発明の詳細な説明】
【技術分野】
【０００１】
本発明は、空気中にイオンを放出するイオン送出装置に関する。
【背景技術】
【０００２】
従来のイオン送出装置は特許文献１に開示されている。特許文献１に記載のイオン送出装置は２個のイオン発生装置（イオン発生部）が設けられたイオン発生ユニットを備えている。このイオン発生ユニットは本体筐体であるケーシングに開口したユニット挿入部に対して着脱が可能になっている。
【先行技術文献】
【特許文献】
【０００３】
【特許文献１】特開２０１２−２１６８３号公報
【発明の概要】
【発明が解決しようとする課題】
【０００４】
例えば、上記従来のイオン送出装置においてイオン発生装置（イオン発生部）の交換を考える場合、イオン発生ユニットをケーシングから取り外した後、イオン発生装置をイオン発生ユニットから取り外す必要がある。これにより、イオン発生装置の交換に手間が掛かるとともに、イオン発生ユニットを紛失してしまう可能性があるという問題があった。
【０００５】
本発明は上記の点に鑑みなされたものであり、イオン発生装置を容易に交換することができ、イオン発生ユニット、すなわちイオン発生装置を保持するホルダーの紛失を防止することが可能なイオン送出装置を提供することを目的とする。
【課題を解決するための手段】
【０００６】
上記の課題を解決するため、本発明のイオン送出装置は、吸込口及び吹出口を開口する本体筐体と、前記吸込口と前記吹出口とを連通させる送風ダクトと、前記送風ダクトに気流を流通させる送風ファンと、前記送風ダクトを流通する気流にイオンを放出するイオン発生部を有するイオン発生装置と、前記送風ダクトの一面を構成する側板に設けた開口からなる窓部と、前記イオン発生装置が着脱可能であるとともに前記イオン発生部が前記窓部を介して前記送風ダクトの内部に臨む姿勢と、前記イオン発生部が前記窓部から離隔する姿勢とをなすように回動可能なホルダーと、を備えることを特徴としている。
【０００７】
この構成によれば、着脱可能にイオン発生装置を保持するホルダーはイオン発生部が窓部を介して送風ダクトの内部に臨む姿勢と、イオン発生部が窓部から離隔する姿勢とをなすように回動する。これにより、イオン発生装置の交換に際し、ホルダーがイオン送出装置の本体筐体から外れることがない。
【０００８】
また、上記構成のイオン送出装置において、前記ホルダーが取り付けられて前記ホルダーの回動を可能にするホルダー連結部を備えることを特徴としている。これにより、ホルダーの側板に対する回動が容易になる。
【０００９】
また、上記構成のイオン送出装置において、前記送風ファンがシロッコファンで構成され、前記側板が前記シロッコファンの回転軸線と交差する方向に延び、前記ホルダー連結部が前記シロッコファンに対して空気流通方向下流の前記側板の前記送風ダクトの空気流路に対応する領域の外側であって前記シロッコファンの回転軸線寄りに配置されることを特徴としている。
【００１０】
一般的にシロッコファンは回転軸線方向から見るとその周面の偏った箇所から排気流路が延びている。例えば、イオン送出装置内部のシロッコファンの空気流通方向下流側に上下方向または前後方向または横方向に真っ直ぐ延びる送風ダクトを設けた場合、送風ダクトに対するシロッコファンの回転軸線寄りの領域に送風ダクト以外に使用可能な空間が生じ得る。本発明の構成によれば、その空間にホルダー連結部が配置される。これにより、ホルダー連結部は送風ダクトの構成に悪影響を与えることがない。
【００１１】
また、上記構成のイオン送出装置において、前記ホルダーは前記イオン発生装置の着脱時に前記イオン発生装置をスライド移動させるガイド部を備えることを特徴としている。この構成によれば、ホルダーに対するイオン発生装置の着脱が容易になる。
【００１２】
また、上記構成のイオン送出装置において、前記ガイド部は前記ホルダーの回動の中心軸線と交差する方向に前記イオン発生装置をスライド移動させることを特徴としている。この構成によれば、ホルダーの回動範囲が比較的狭い場合でもイオン発生装置を着脱することができる。
【００１３】
また、上記構成のイオン送出装置において、前記ホルダーは前記イオン発生装置の前記ホルダーへの装着とともに前記イオン発生装置と電気的に接続するコネクタ部を備えることを特徴としている。この構成によれば、イオン発生装置とコネクタとの電気的な接続が容易になる。
【００１４】
また、上記構成のイオン送出装置において、前記イオン発生装置は複数の前記イオン発生部を備えるとともに、複数の前記イオン発生部が前記送風ダクトの空気流通方向と交差する方向に並ぶことを特徴としている。この構成によれば、送風ダクトを流通する気流に対して効率良くイオンが放出される。
【発明の効果】
【００１５】
本発明の構成によれば、イオン発生装置を保持するホルダーはイオン発生部が窓部を介して送風ダクトの内部に臨む姿勢と、イオン発生部が窓部から離隔する姿勢とをなすように回動する。これにより、イオン発生装置を容易に交換することができ、イオン発生装置のホルダーの紛失を防止することが可能なイオン送出装置を提供することができる。
【図面の簡単な説明】
【００１６】
【図１】本発明の実施形態のイオン送出装置の前方から見た斜視図である。
【図２】本発明の実施形態のイオン送出装置の外装カバー及び側板を外した側面図である。
【図３】本発明の実施形態のイオン送出装置の外装カバー及び側板を外した部分拡大側面図である。
【図４】本発明の実施形態のイオン送出装置のイオン発生装置の上面図である。
【図５】本発明の実施形態のイオン送出装置のイオン発生装置の側面図である。
【図６】本発明の実施形態のイオン送出装置のイオン発生装置の斜視図である。
【図７】本発明の実施形態のイオン送出装置の上面図である。
【図８】本発明の実施形態のイオン送出装置の外装カバーを外した斜視図である。
【図９】本発明の実施形態のイオン送出装置のホルダーの正面図である。
【図１０】本発明の実施形態のイオン送出装置のホルダーの斜視図である。
【図１１】本発明の実施形態のイオン送出装置のイオン発生装置及びホルダーの正面図である。
【図１２】本発明の実施形態のイオン送出装置のイオン発生装置及びホルダーの背面図である。
【発明を実施するための形態】
【００１７】
以下、本発明の実施形態を図１〜図１２に基づき説明する。
【００１８】
最初に、本発明の実施形態に係るイオン送出装置について、図１及び図２を用いてその構造の概略を説明する。図１はイオン送出装置の前方から見た外観斜視図、図２はイオン送出装置の外装カバー及び側板を外した状態の側面図である。図１及び図２の白抜き矢印はイオン送出装置による空気の流通経路及び流通方向を示している。図２はイオン送出装置の外装カバーと、外装カバーより内側に設けられる送風ダクトの側板とを取り外して送風ダクトの内部が見える状態にした図である。
【００１９】
イオン送出装置１は、図１及び図２に示すように柱状をなす本体筐体２と、本体筐体２の下方に配置された台座部３とを備えている。
【００２０】
本体筐体２は上下に縦長に延びる柱状に形成されている。本体筐体２は底面が円形をなし、上下方向略中央部から上端にかけての部分が略直方体形状で形成されている。上部の略直方体形状の部分は横幅より前後の長さのほうが長く、左右両側面が外側に膨らむように湾曲している。
【００２１】
また、本体筐体２は下部側面に開口する吸込口４と、上部正面に開口する吹出口５とを備えている。本体筐体２は上面に操作部６を備えている。本体筐体２は台座部３の上面に立設されている。
【００２２】
台座部３は平面視円形をなすその上面に本体筐体２が設置されて、本体筐体２を支持している。本体筐体２はその下部に設けた不図示の変位モータを駆動すると、台座部３に対して、径方向中心に設けた上下方向に延びる回転軸線を中心に水平面内で回転する、または所定の角度範囲で往復変位（首振り動作）する。
【００２３】
本体筐体２は、図２に示すようにその内部に送風ダクト２０を備えている。送風ダクト２０は上下方向に延び、吸込口４と吹出口５とを連通させている。送風ダクト２０の内部であって本体筐体２の下部には送風ファン７が配置されている。送風ファン７の不図示の吸気口は吸込口４に隣接している。送風ファン７の排気口７ａは上方を指向している。送風ファン７は吸込口４から吸い込んだ空気を吹出口５に向かって流通させる。
【００２４】
送風ファン７の上方であって空気流通方向下流側にはイオン発生装置４０が配置されている。イオン発生装置４０により発生するイオンは送風ダクト２０を流通する気流に含ませられる。また、本体筐体２の内部には不図示の制御基板が設けられている。また、イオン送出装置１は電源コード８とその先端に設けた不図示の電源プラグとを備え、商用交流電源から電力の供給を受け、動作する。
【００２５】
続いて、イオン送出装置１の詳細な構成について、図１及び図２に加えて図３〜図６を用いて説明する。図３はイオン送出装置１の外装カバー及び側板を外した部分拡大側面図である。図３は図２の部分拡大図であって、イオン発生装置４０を支持するホルダーを追加して描画している。図４、図５及び図６はイオン発生装置４０の上面図、側面図及び斜視図である。
【００２６】
本体筐体２はその周囲に送風ダクト２０等の内部構成要素を覆う上部外装カバー９Ｕと、下部外装カバー９Ｌとを備えている。なお以下の説明において、上部外装カバー９Ｕ及び下部外装カバー９Ｌを外装カバー９と総称することがある。
【００２７】
吸込口４は送風ダクト２０の内部と本体筐体２の外部とを連通させている。吸込口４には塵埃を捕集する不図示の集塵フィルタ４ａ（図８参照）と、下部外装カバー９Ｌに開口した複数の通気孔４ｂとが配置されている。
【００２８】
送風ファン７は送風ダクト２０の下部であって吸込口４に隣接して配置されている。送風ファン７は例えばシロッコファンからなり、不図示のファンモータ及び羽根車が設けられている。羽根車は不図示の吸気口が吸込口４に面している。送風ファン７の排気口７ａは上方、すなわち送風ダクト２０の下流に位置する吹出口５の方向を指向している。ファンモータによって羽根車が回転すると、送風ダクト２０に気流が流通する。なお、本実施形態では送風ファン７をシロッコファンとしたが、プロペラファンやターボファン形式の送風ファンであっても良い。
【００２９】
イオン発生装置４０は、図３に示すようにホルダー５０に支持され、送風ファン７に対して空気流通方向下流側に配置されている。イオン発生装置４０はイオンを放出するための放電に用いる放電電極４３やその他電子部品がハウジング４１に設けられ、例えば図４〜図６に示すようにパッケージ化されている。イオン発生装置４０は外部から電力の供給を受けるための端子部４４をハウジング４１の側面に備えている。
【００３０】
イオン発生装置４０は不図示の回路部、正イオン発生部４２Ｐ及び負イオン発生部４２Ｎを備えている。回路部は外部から電力供給を受けて高圧の電気パルスを生成する高圧電気発生回路を備えている。
【００３１】
正イオン発生部４２Ｐは正放電電極４３Ｐを備え、負イオン発生部４２Ｎは負放電電極４３Ｎを備えている。二対の正放電電極４３Ｐ及び負放電電極４３Ｎは各々針状に形成されて所定の間隔で並べて配置され、送風ダクト２０に臨んでいる。二対の正放電電極４３Ｐ及び負放電電極４３Ｎは送風ダクト２０内の空気流通方向と交差して略直角をなす方向に並んでいる。なおこの説明において、正イオン発生部４２Ｐ及び負イオン発生部４２Ｎをイオン発生部４２と総称することがある。
【００３２】
正イオン発生部４２Ｐ及び負イオン発生部４２Ｎはともに同じ構造であり、各々の正放電電極４３Ｐ、負放電電極４３Ｎに高圧電気発生回路で生成された高電圧を供給して放電を発生させ、イオンを放出する。正イオン発生部４２Ｐ及び負イオン発生部４２Ｎはハウジング４１の本体部４１ａから外側（送風ダクト２０側）に向かって突出している。
【００３３】
ここで、イオン発生装置４０の正放電電極４３Ｐ、負放電電極４３Ｎには交流波形またはインパルス波形から成る電圧が印加される。正放電電極４３Ｐには正電圧が印加され、コロナ放電による水素イオンが空気中の水分と結合して主としてＨ+（Ｈ2Ｏ）ｍから成る正イオンを発生する。負放電電極４３Ｎには負電圧が印加され、コロナ放電による酸素イオンが空気中の水分と結合して主としてＯ2-（Ｈ2Ｏ）ｎから成る負イオンを発生する。ここで、ｍ、ｎは任意の自然数である。Ｈ+（Ｈ2Ｏ）ｍ及びＯ2-（Ｈ2Ｏ）ｎは空気中の浮遊菌や臭い成分の表面で凝集してこれらを取り囲む。
【００３４】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。したがって、イオン発生装置４０は送風ダクト２０の内部を流通する空気に対して正放電電極４３Ｐ及び負放電電極４３Ｎで放電により発生させた正イオン及び負イオンを含ませるように放出することにより、例えば室内の殺菌や脱臭を行うことができる。
【００３５】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ  ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００３６】
なお、本実施形態ではイオン発生装置４０によって正イオン及び負イオンを発生しているが、正イオンのみまたは負イオンのみを発生しても良い。
【００３７】
また、本発明において、イオンには帯電微粒子水も含むものとする。このとき、イオン発生装置４０は静電霧化装置からなり、静電霧化装置によってラジカル成分を含む帯電微粒子水が生成される。すなわち、静電霧化装置に設けた放電電極をペルチェ素子により冷却することで放電電極の表面に結露水が生じる。次に、放電電極にマイナスの高電圧を印加すると、結露水から帯電微粒子水が生成される。また、放電電極からは帯電微粒子水とともに空気中に放出される負イオンも発生する。
【００３８】
イオン発生装置４０は正イオンまたは負イオンのいずれかと、正イオンまたは負イオンの逆極性に帯電した微粒子水とを発生する静電霧化装置からなるものであっても良い。負イオン若しくは負に帯電した微粒子水が発生すると、室内の殺菌や脱臭に加えて、リラックス効果も生まれるとされている。
【００３９】
送風ダクト２０の空気流通方向下流部は上方に向かって延びるとともに前方に向かって湾曲している。そして、送風ダクト２０の下流部は５枚の仕切り板２１により６本の通風路２２に区分されている。
【００４０】
通風路２２の入口部２３はイオン発生装置４０の配置箇所のすぐ下流に位置し、出口部２４は吹出口５のすぐ上流に位置している。６本の通風路２２は入口部２３においてイオン送出装置１の前後方向に一列に並び、出口部２４において上下方向に一列に並ぶ。
【００４１】
通風路２２の出口部２４と吹出口５との間には６枚の可動ルーバー２５が設けられている。６枚の可動ルーバー２５は各々上流端が５枚の仕切り板２１と送風ダクト２０の最も正面側の壁板２６とに連続して取り付けられている。可動ルーバー２５は下流部が不図示のルーバーモータに連結されている。ルーバーモータを駆動すると、６枚の可動ルーバー２５の下流部が揃って上下方向に変位して吹出口５から送出される空気流の送出方向が上下に変化する。
【００４２】
また、送風ダクト２０はその側方の一面を構成する側板２８を備えている（図８参照）。そして、イオン発生装置４０は側板２８に設けたホルダー５０を介して正イオン発生部４２Ｐ及び負イオン発生部４２Ｎが送風ダクト２０に臨むように側板２８に取り付けられている。
【００４３】
続いて、イオン発生装置４０の取り付け構造の詳細について、図３に加えて図７〜図１２を用いて説明する。図７はイオン送出装置１の上面図、図８はイオン送出装置１の外装カバー２を外した斜視図である。図９及び図１０はホルダー５０の正面図及び斜視図である。図１１及び図１２はイオン発生装置４０及びホルダー５０の正面図及び背面図である。なお、イオン発生装置４０及びホルダー５０は図９及び図１１に示す送風ダクト２０側を正面とし、図１２に示す外装カバー２側を背面としている。また、図７〜図１２の破線矢印Ｒはホルダー５０の回動方向を示し、実線矢印Ｓはホルダー５０に対するイオン発生装置４０のスライド方向を示している。
【００４４】
ホルダー５０は前述のようにイオン発生装置４０を支持する部材であって、側板２８に取り付けられている。ホルダー５０及びイオン発生装置４０は、図３、図７及び図８に示すようにイオン送出装置１を正面側から見て右側の側板２８に設けられている。なお、ホルダー５０は側板２８に設けた他部材を介して側板２８に取り付けられていても良い。
【００４５】
ホルダー５０及びイオン発生装置４０が設けられた側板２８はホルダー５０のイオン送出装置１正面側の部分にホルダー連結部であるヒンジ部２９を備えている。ヒンジ部２９はシロッコファンである送風ファン７に対して空気流通方向下流の側板２８の送風ダクト２０の空気流路に対応する領域の外側であってシロッコファンの回転軸線７Ｃ寄りに配置されている。すなわち、回転軸線７Ｃがイオン送出装置１の横方向に延びて背面側に設けた排気口７ａから上方に向けて排気する送風ファン７（シロッコファン）に対してその正面側上方にヒンジ部２９が配置されている。
【００４６】
ヒンジ部２９は上下方向であって送風ダクト２０の空気流通方向に沿って延びる中心軸線２９Ｃを有している。これにより、図７、図８及び図１０の破線矢印Ｒで示したように、ホルダー５０はそのイオン送出装置１背面側の端部を自由端として略水平面内で回動可能である。ホルダー５０はイオン発生装置４０を側板２８に対して接近、離隔させるように回動可能である。なお、図７及び図８はホルダー５０の背面側自由端を側板２８から離隔させるようにホルダー５０を回動させた状態を描画している。
【００４７】
ここで、側板２８はイオン発生装置４０を側板２８に対して接近させたときに正イオン発生部４２Ｐ及び負イオン発生部４２Ｎが送風ダクト２０の内部に臨むようにするための窓部３０を備えている。窓部３０は側板２８に設けた開口で形成されている。イオン発生装置４０を側板２８に対して接近させると、正イオン発生部４２Ｐ及び負イオン発生部４２Ｎが窓部３０を介して送風ダクト２０の内部に臨み、イオン発生装置４０の本体部４１ａは側板２８の外側に存在する。
【００４８】
すなわち、ホルダー５０はイオン発生部４２が窓部３０を介して送風ダクト２０の内部に臨む姿勢と、イオン発生部４２が窓部３０から外側に離隔する姿勢とをなすように回動可能である。なお、イオン発生部４２が窓部３０を介して送風ダクト２０の内部に臨むというホルダー５０の姿勢は、例えばイオン発生部４２が窓部３０を通って完全に側板２８の内面より内側に位置する姿勢でも良いし、イオン発生装置４０の本体部４１ａの窓部３０に対向する面が側板２８の外面に近接する姿勢でも良いし、イオン発生部４２の先端が側板２８の外面に近接する姿勢でも良い。
【００４９】
また、ホルダー５０はその背面壁５１の内側にイオン発生装置４０を収容する収容部５２を備えている。また、ホルダー５０は収容部５２の上下に自由端側とヒンジ部２９側との間に延びるガイド部５３を備えている。これにより、図７〜図１２の実線矢印Ｓで示したように、イオン発生装置４０はホルダー５０の自由端側からヒンジ部２９側に向かう方向にガイド部５３に沿ってスライド移動させて収容部５２に装着することができ、その逆方向にガイド部５３に沿ってスライド移動させて収容部５２から取り外すことができる。ガイド部５３はホルダー５０の回動の中心軸線２９Ｃと交差して略直角をなす方向にイオン発生装置４０をスライド移動させる。
【００５０】
ホルダー５０は収容部５２のヒンジ部２９側にコネクタ部５４を備えている。コネクタ部５４は本体筐体２の制御基板等と電気的に接続され、電力や制御信号の授受が行われる。イオン発生装置４０を収容部５２に装着するとともにイオン発生装置４０の端子部４４（図５及び図６参照）がコネクタ部５４に連結される（図１１参照）。これにより、イオン発生装置４０は本体筐体２から電力の供給を受け、制御信号を受信する。なお、図１０ではコネクタ部５４の描画を省略している。
【００５１】
ホルダー５０はその自由端側の上下に係止片５５を備えている。また、側板２８は２箇所の係止片５５各々に対応する箇所に係合部３１を備えている（図８参照）。係止片５５はそのツマミ部５５ａを押すことにより弾性変形し、係合部３１に対して係合、係合解除される。イオン発生装置４０を装着したホルダー５０の係止片５５を側板２８の係合部３１に係合させると、正イオン発生部４２Ｐ及び負イオン発生部４２Ｎが窓部３０を通って送風ダクト２０内に臨む。イオン送出装置１によるイオンの放出運転を行うとき、イオン発生装置４０を装着したホルダー５０の係止片５５を係合部３１に係合させてイオン発生装置４０を使用する。
【００５２】
このようにして、イオン送出装置１は着脱可能にイオン発生装置４０を保持するホルダー５０を送風ダクト２０の一面を構成する側板２８に備えている。ホルダー５０はイオン発生部４２が窓部３０を介して送風ダクト２０の内部に臨む姿勢と、イオン発生部４２が窓部３０から外側に離隔する姿勢とをなすように回動する。これにより、イオン発生装置４０の交換に際し、ホルダー５０がイオン送出装置１の本体筐体２から外れることを防止することができる。したがって、イオン発生装置４０を容易に交換することができ、ホルダー５０の紛失を防止することが可能である。
【００５３】
また、イオン送出装置１はホルダー５０が取り付けられてホルダー５０の回動を可能にするホルダー連結部であるヒンジ部２９を備えているので、ホルダー５０の側板２８に対する回動を容易に行うことが可能である。
【００５４】
また、送風ファン７がシロッコファンで構成され、側板２８がシロッコファンの回転軸線７Ｃと交差して略直角をなす方向に延び、ヒンジ部２９がシロッコファンに対して空気流通方向下流の側板２８の送風ダクト２０の空気流路に対応する領域の外側であってシロッコファンの回転軸線７Ｃ寄りに配置されている。シロッコファンは回転軸線７Ｃ方向、すなわちイオン送出装置１の側方から見るとその周面の偏った箇所（イオン送出装置１の背面側上部）から排気流路が延びている。イオン送出装置１内部のシロッコファンの空気流通方向下流側に上方向に真っ直ぐ延びる送風ダクト２０を設けた場合、送風ダクト２０に対するシロッコファンの回転軸線７Ｃ寄りの領域、すなわち送風ダクト２０の正面側に送風ダクト２０以外に使用可能な空間が生じ得る。本実施形態の構成によれば、その空間にヒンジ部２９が配置される。これにより、ヒンジ部２９は送風ダクト２０の構成に悪影響を与えることがない。したがって、効率良く空気が流通するように送風ダクト２０を形成することができる。
【００５５】
そして、ホルダー５０はイオン発生装置４０の着脱時にイオン発生装置４０をスライド移動させるガイド部５３を備えているので、ホルダー５０に対するイオン発生装置４０の着脱を容易に行うことができる。
【００５６】
また、ガイド部５３はホルダー５０の回動の中心軸線２９Ｃと交差して略直角をなす方向にイオン発生装置４０をスライド移動させているので、ホルダー５０の回動範囲が比較的狭い場合でもイオン発生装置４０を着脱することができる。
【００５７】
また、ホルダー５０はイオン発生装置４０のホルダー５０への装着とともにイオン発生装置４０と電気的に接続するコネクタ部５４を備えているので、イオン発生装置４０とコネクタ５４とを自動的に連結できてそれらの電気的な接続を容易に行うことが可能である。
【００５８】
また、側板２８はホルダー５０の回動によるイオン発生装置４０の接近時に正イオン発生部４２Ｐ及び負イオン発生部４２Ｎが通る窓部３０を備えているので、正イオン発生部４２Ｐ及び負イオン発生部４２Ｎが窓部３０を介して送風ダクト２０に臨み、送風ダクト２０を流通する気流にイオンを放出することができる。
【００５９】
さらに、イオン発生装置４０は二対の正イオン発生部４２Ｐ及び負イオン発生部４２Ｎを備えるとともに、それら正イオン発生部４２Ｐ及び負イオン発生部４２Ｎが送風ダクト２０の空気流通方向と交差して略直角をなす方向に並んでいるので、送風ダクト２０を流通する気流に対して効率良くイオンを放出することができる。
【００６０】
そして、本発明の上記実施形態の構成によれば、イオン発生装置４０を保持するホルダー５０が送風ダクト２０の一面を構成する側板２８に設けられ、ホルダー５０はイオン発生部４２が窓部３０を介して送風ダクト２０の内部に臨む姿勢と、イオン発生部４２が窓部３０から離隔する姿勢とをなすように回動する。これにより、イオン発生装置４０を容易に交換することができ、ホルダー５０の紛失を防止することが可能なイオン送出装置１を提供することができる。
【００６１】
以上、本発明の実施形態につき説明したが、本発明の範囲はこれに限定されるものではなく、発明の主旨を逸脱しない範囲で種々の変更を加えて実施することができる。
【００６２】
例えば、上記実施形態では、ホルダー５０及びイオン発生装置４０をイオン送出装置１を正面側から見て右側の側板２８に設けたが、ホルダー５０及びイオン発生装置４０を設ける箇所はイオン送出装置１を正面側から見て右側に限定されるわけではない。ホルダー５０及びイオン発生装置４０をイオン送出装置１を正面側から見て左側に設けても良い。
【００６３】
また、ホルダー５０の回動を可能にするホルダー連結部はヒンジ部２９のような連結機構に限定されるわけではなく、他の連結機構を有する構造であっても良い。さらに、ヒンジ部２９はホルダー５０のイオン送出装置１正面側の部分（図３においてホルダー５０の左端付近）に設けたが、ホルダー５０のイオン送出装置１背面側（図３においてホルダー５０の右端側）やホルダー５０の上側または下側に設けても良い。
【産業上の利用可能性】
【００６４】
本発明は、空気中にイオンを放出するイオン送出装置において利用することができる。
【符号の説明】
【００６５】
１    イオン送出装置
２    本体筐体
３    台座部
４    吸込口
５    吹出口
６    操作部
７    送風ファン（シロッコファン）
７Ｃ    回転軸線
２０    送風ダクト
２８    側板
２９    ヒンジ部（ホルダー連結部）
２９Ｃ    中心軸線
３０    窓部
４０    イオン発生装置
４２Ｐ    正イオン発生部（イオン発生部）
４２Ｎ    負イオン発生部（イオン発生部）
４４    端子部
５０    ホルダー
５２    収容部
５３    ガイド部
５４    コネクタ部
【図１】
0005981198.tif 000002
【図２】
0005981198.tif 000003
【図３】
0005981198.tif 000004
【図４】
0005981198.tif 000005
【図５】
0005981198.tif 000006
【図６】
0005981198.tif 000007
【図７】
0005981198.tif 000008
【図８】
0005981198.tif 000009
【図９】
0005981198.tif 000010
【図１０】
0005981198.tif 000011
【図１１】
0005981198.tif 000012
【図１２】
0005981198.tif 000013